(57)【特許請求の範囲】
【請求項１】
複数のテナントが入金する入金機と、複数の前記入金機の入金情報を管理する入金機管理サーバとからなる入金機システムと、複数の前記入金機システムの入金情報を管理する管理サーバとからなり、これらをネットワークにより接続した現金管理システムであって、
複数の入金機はそれぞれ、前記ネットワークを経由しテナント別の操作者の入金完了情報を格納しあう共有情報格納部を備え、
テナント別に入金機における締め処理を行う条件を設定するとともに、前記入金機管理サーバにおける締め処理を行う条件を設定し、
ある前記入金機でテナントの操作者の入金が完了すると、当該操作者の入金完了情報が、当該入金機の共有情報格納部に格納されるとともに、他の入金機の共有情報格納部に格納され、
操作者による入金が行われた入金機は、共有情報格納部を参照し、テナント別にあらかじめ設定した締め処理を行う条件として特定の操作者の入力処理が完了しているかどうかを判定し、完了していると判定した場合、該判定した時点で当該テナントの自動締め処理を実施し、締め通知を前記入金機管理サーバに送信することを特徴とする現金管理システム。
【請求項２】
前記入金機管理サーバは、前記締め通知を受信すると、当該入金機管理サーバ側でのあらかじめ設定した締め条件として特定のテナントの締め処理が完了しているかどうか判定し、完了していると判定した場合、該判定した時点で入金機システムとしての締め処理を実施することを特徴とする請求項1記載の現金管理システム。
【請求項３】
複数のテナントが入金する現金を計数して入金情報を取得し、当該現金を入金庫に格納し、入金情報をテナント情報とともに入金機管理サーバに通知し、ネットワークを介して他の入金機と接続される入金機であって、
ネットワークを経由してテナント別の操作者の入金完了情報を格納しあう共有情報格納部を備え、
テナント別に締め処理を行う条件を設定し、
テナントの操作者の入金が完了すると、当該操作者の入金完了情報が、当該入金機の共有情報格納部に格納されるとともに、他の入金機の共有情報格納部に格納され、
操作者による入金が行われると、共有情報格納部を参照し、テナント別にあらかじめ設定した締め処理を行う条件として特定の操作者の入力処理が完了しているかどうかを判定し、完了していると判定した場合、該判定した時点で当該テナントの自動締め処理を実施し、締め通知を前記入金機管理サーバに送信することを特徴とする入金機。
【発明の詳細な説明】
【技術分野】
【０００１】
本発明は、店舗等における売上金を集計する締め機能を有する入金機および現金管理システムに関するものである。
【背景技術】
【０００２】
従来、現金管理システムにおいては、店舗における売上金を店舗側で入金処理し、通信回線を介してその金額を管理センタに送信し集計管理するとともに、店舗側で入金された現金を専門の警備会社によって回収するようになっている。
【０００３】
このような現金管理システムによれば、店舗経営者は、銀行等に自ら出向くことなく、店舗内の入金機に売上金を入金するだけで、自動的に集計され、その回収も専門の警備会社によって行われ、最終的に所定の銀行又は本店等に預金される。
【０００４】
上記従来の現金管理システムにおいては、入金機が個別の各店舗に対応して設けられているので、特定のスーパーマーケットやコンビニエンスストア等で使用するときはよいが、複数のテナントを擁するショッピングセンタ等で使用する場合は大変不経済となるという問題があった。
【０００５】
すなわち、ショッピングセンタでは、個別のテナント毎に入金機を設け、さらに各入金機が個別に中央の管理センタと通信しなければならないため、入金機毎に電話回線等の通信回線を設けることになり、設備機器に多くの費用がかかってしまうという問題があった。
【０００６】
この不具合を回避するために、各入金機にテナントを識別するためのテナント情報を入力する手段と、入金された現金の情報および当該現金を入金したテナントのテナント情報とを管理サーバに通知するようにし、各テナントが任意の入金機にて売上金を入金できるようにした技術はあった。
【０００７】
この技術では、各テナントの締め処理として、投入された紙幣や硬貨の金額を入金情報として記憶し、記憶している入金情報を合計して締め情報として通信回線を介して遠隔の管理センタに送信するようになっている。
【０００８】
そして、この締め処理は、テナント毎に自動締めの時間を設定し、それぞれ所定の時刻で自動締め指示を発生させ、テナント毎の入金額を集計した締め情報として管理センタに通知するようになっていた（例えば、特許文献１参照）。
【先行技術文献】
【特許文献】
【０００９】
【特許文献１】特許第３５４６１３８号公報
【発明の概要】
【発明が解決しようとする課題】
【００１０】
しかしながら、上記従来の現金管理システムでは、設定した時間になると自動締めを行うため、所定の操作者等が入金を完了したときにすぐに締め処理を開始させることができず、集計の終了が遅くなってしまうという問題があった。
【課題を解決するための手段】
【００１１】
本発明は、前述の課題を解決するため次の構成を採用する。すなわち、複数のテナントが入金する入金機と、複数の前記入金機の入金情報を管理する入金機管理サーバとからなる入金機システムと、複数の前記入金機システムの入金情報を管理する管理サーバとからなり、これらをネットワークにより接続した現金管理システムであって、複数の入金機はそれぞれ、前記ネットワークを経由しテナント別の操作者の入金完了情報を格納しあう共有情報格納部を備え、テナント別に入金機における締め処理を行う条件を設定するとともに、前記入金機管理サーバにおける締め処理を行う条件を設定し、ある前記入金機でテナントの操作者の入金が完了すると、当該操作者の入金完了情報が、当該入金機の共有情報格納部に格納されるとともに、他の入金機の共有情報格納部に格納され、操作者による入金が行われた入金機は、共有情報格納部を参照し、テナント別にあらかじめ設定した締め処理を行う条件として特定の操作者の入力処理が完了しているかどうかを判定し、完了していると判定した場合、該判定した時点で当該テナントの自動締め処理を実施し、締め通知を前記入金機管理サーバに送信するようにした。
【発明の効果】
【００１２】
本発明の現金管理システムによれば、複数のテナントが入金する入金機と、複数の前記入金機の入金情報を管理する入金機管理サーバとからなる入金機システムと、複数の前記入金機システムの入金情報を管理する管理サーバとからなり、これらをネットワークにより接続した現金管理システムであって、複数の入金機はそれぞれ、前記ネットワークを経由しテナント別の操作者の入金完了情報を格納しあう共有情報格納部を備え、テナント別に入金機における締め処理を行う条件を設定するとともに、前記入金機管理サーバにおける締め処理を行う条件を設定し、ある前記入金機でテナントの操作者の入金が完了すると、当該操作者の入金完了情報が、当該入金機の共有情報格納部に格納されるとともに、他の入金機の共有情報格納部に格納され、操作者による入金が行われた入金機は、共有情報格納部を参照し、テナント別にあらかじめ設定した締め処理を行う条件として特定の操作者の入力処理が完了しているかどうかを判定し、完了していると判定した場合、該判定した時点で当該テナントの自動締め処理を実施し、締め通知を前記入金機管理サーバに送信するようにしたので、所定の操作者等が入金を完了したときにすぐに締め処理を開始し最終の締め処理を早く終了することができる。
【図面の簡単な説明】
【００１３】
【図１】実施例１の現金管理システムの構成図である。
【図２】実施例１の入金機の構成図である。
【図３】実施例１の現金管理システムの動作フローチャート図である。
【図４】実施例１の現金管理システムの入金機のタイムチャート図である。
【発明を実施するための形態】
【００１４】
以下、本発明に係わる実施の形態例を、図面を用いて説明する。なお、図面に共通する要素には同一の符号を付す。
【実施例１】
【００１５】
（構成）
図１は、実施例１の現金管理システムの構成図であり、図２は入金機の構成図である。図１に示したように、実施例１の現金管理システムは、ＬＡＮ（Ｌｏｃａｌ  Ａｒｅａ  Ｎｅｔｗｏｒｋ）５により接続された入金機２ａ〜２ｎと入金機管理サーバ３からなる入金機システムＮＳ１〜ＮＳｎと、これらの入金機システムＮＳ１〜ＮＳｎが通信回線６により管理センタ４に接続された構成となっている。
【００１６】
入金機２ａ〜２ｎは入金された現金の情報を入金したテナントの情報とともに入金機管理サーバ３に対して通知する機能を有しており、入金機管理サーバ３は各入金機２ａ〜２ｎから通知された入金現金情報とテナント情報とを集計管理し、テナント毎の入金情報を通信回線６を介して管理センタ４に通知する機能を有している。
【００１７】
管理センタ４は、入金機システムＮＳ１〜ＮＳｎからのテナントごとの入金情報をテナントごとに集計等する管理サーバ４ａと、この集計したテナントごとの集計結果や現金が一杯になり回収が必要な状態で警備員の要請が必要となる入金機２の情報などを格納する管理情報格納部４ｂから構成される。
【００１８】
次に、入金機システムＮＳ１〜ＮＳｎにそれぞれ設けられる入金機２の構成を、図２を用いて以下詳細に説明する。同図に示したように入金機２は、後述の各部の制御を行う主制御部２０と、表示されるガイダンスに従い操作者が操作する操作部４とが設けられている。なお、操作部４は、入金操作に際して操作画面を表示するＬＣＤと、処理の選択や、適宜、暗証番号や入金額などを入力するタッチパネルが一体化されて構成される。
【００１９】
さらに、実施例１の自動取引装置の制御系には、カードに記録された操作者のＩＤなどのリードライトを行うカード処理部２１、操作ガイダンス等を音声出力する音声案内部２２、入金額の集計結果などを印字出力する明細票処理部２３、硬貨や紙幣を収納する入金庫２４、入金された現金の計数や集計処理を行う入金処理部２５、ＬＡＮ５を経由して互いに他の入金機２の入金完了情報を格納する共有情報格納部２６が設けられている。
【００２０】
さらに、各部に電源を供給する電源部２７、主制御部２０の記憶部であり制御プログラムや各種のパラメータを格納できる記憶手段としてのメモリ部２８、ＬＡＮ５のインタフェイスを制御するインタフェイス部２９が設けられている。
【００２１】
（動作）
以上の構成により実施例１の現金管理システムは、以下のように動作する。この動作を図３の現金管理システムの動作フローチャート図および図４の入金機２のタイムチャート図を用いて以下詳細に説明する。
【００２２】
まず、入金機２にて詳細後述の締めを行う条件である締め条件を設定する（ステップＳ０１）。例えば、テナントＡにおいては、操作者Ｘ、操作者Ｙ、操作者Ｚが入金を完了したときに、テナントＡの自動締め処理を開始するという条件を設定する。同様に、入金機管理サーバ３にて詳細後述の締めを行う条件である締め条件を設定する（ステップＳ２１）。例えば、テナントＡ、テナントＢ、テナントＣの締め処理が完了したときに自動締め処理を開始するという条件を設定する。
【００２３】
そして、入金動作として、各テナントは任意の入金機２ａ〜２ｎを用いて売上金を入金する。このとき、それぞれのテナントを識別するテナント情報を入力する（ステップＳ０２）。なお、テナント情報の入力は、あらかじめ決めたＩＤ番号を操作部１９により入力させるようにしてもよいし、カード処理部２１によりカード等に記録した各テナント情報を読み取るようにしてもよい。
【００２４】
次に、各テナントの操作者、例えばＸは、入金しようとする現金を投入し、その金額を計数させる（ステップＳ０３）。
【００２５】
次に、テナント情報と計数した入金情報とを入金機管理サーバ３に送信する。入金情報待ち状態となっていた入金機管理サーバ３は、いずれかの入金機、例えば２ａからテナント情報と入金した金額情報とを含む入金情報が送信されると、これを受信し、確認のために受信した情報を入金機２ａに返信し、テナント別及び入金機別の入金ログを作成し、図示しない入金機管理サーバ３の記憶部に記憶する（ステップＳ２２）。
【００２６】
入金機２ａでは、入金機管理サーバ３から返信された入金情報を受信し、送信した入金情報と一致していることを確認した後、投入された現金を入金庫２４に収納するとともに、その明細を明細票処理部２３により印字出力する（ステップＳ０４）。そして、操作者Ｘによる入金が終了しているかどうかを確認し（ステップＳ０５）、操作者Ｘによる入金するものがあり入金が完了していないときはステップＳ０２に戻り、操作者Ｘによる残りの入金を継続して行う。一方、入金機２ａにより操作者Ｘによる入金が完了したときは、ステップＳ０６に進み、入金完了者情報を共有情報格納部２６に格納する処理を行う。
【００２７】
ところで、入金機管理サーバ３においてテナント別及び各入金機別の入金ログを作成して管理するようになっているので、各テナントが任意の入金機２ａ〜２ｎを用いて売上金を入金しても、テナント別に入金管理を行うことができる。なお、上記入金ログの作成、管理を入金機管理サーバ３ではなく、各入金機２ａ〜２ｎの側にてテナント別の入金ログを作成し記憶しておき、締め条件が合致したときに、当該入金ログを入金機管理サーバ３に送信するようにしてもよい。
【００２８】
次に、入金機２ａによりＸが入金を完了した旨の入金完了者情報を入金機２ａの共有情報格納部２６ａに格納するとともに、他の入金機２ｂ〜２ｎにＬＡＮ５を介して通知し、これを受信した入金機２ｂ〜２ｎはそれぞれ共有情報格納部２６ｂ〜２６ｎに入金完了者情報を格納する（ステップＳ０６）。
【００２９】
次に、それぞれの入金機２ａ〜２ｎにおいて、共有情報格納部２６ａ〜２６ｎをそれぞれ参照し、ステップＳ０１にて設定した締め条件に合致しているかどうかを判定する（ステップＳ０７）。本例は、操作者Ｘ、操作者Ｙ、操作者Ｚが入金を完了することが締め条件となっているので、図４のタイムチャート図の例では、操作者Ｚによる入金が完了するタイミングＴｚにて、締め条件が合致することになる。
【００３０】
そして、タイミングＴｚ以前の時点では、締め条件に合致しないので、ステップＳ０２に戻り、入金処理を同様に行う。一方、タイミングＴｚ以降では、操作者Ｘ、操作者Ｙ、操作者Ｚが入金を完了しており、締め条件が合致するので、各入金機２ａ〜２ｎは自動締め処理を実施して入金機管理サーバ３へ締め通知を送信する（ステップＳ０８、タイミングＴａ）。
【００３１】
締め通知を受信した入金機管理サーバ３は、入金機管理サーバ３側での締め条件に合致するかどうか判定し（ステップＳ２３）、合致していればこのタイミングで締めを実施する。
【００３２】
本例では、テナントＡ、テナントＢ、テナントＣの締め処理が完了したときに締め条件が合致するので、テナントＡ、テナントＢ、テナントＣがすべて締め処理を完了すると、締め条件に合致し、入金機管理サーバ３による自動締め処理を開始し終了後に、締め通知を管理センタ４に送信する（ステップＳ２４）。
【００３３】
入金機管理サーバ３から締め通知を受信した管理センタ４の管理サーバ４ａは、入金機システムＮＳ１の入金機管理サーバ３から締め通知を受信すると、管理情報格納部４ｂに入金機システム別に入金ログを格納し本処理を終了する（ステップＳ４１）。
【００３４】
（実施例１の効果）
以上のように実施例１の現金管理システムによれば、複数のテナントが入金する入金機と、複数の前記入金機の入金情報を管理する入金機管理サーバとからなる入金機システムと、複数の前記入金機システムの入金情報を管理する管理サーバとからなり、これらをネットワークにより接続した現金管理システムであって、前記入金機は、前記ネットワークを経由しテナント別の操作者の入金完了情報を格納しあう共有情報格納部を備え、テナント別に前記共有情報格納部の入金完了情報があらかじめ設定した締め条件に合致したときにテナント別に前記入金機の自動締め処理を開始するようにしたので、所定の操作者等が入金を完了したときにすぐに締め処理を開始し全体の締め処理を早く終了することができる。
【産業上の利用可能性】
【００３５】
以上述べたように、本発明は、店舗等における売上金を集計する締め機能を有する入金機および現金管理システムに広く用いることができる。
【符号の説明】
【００３６】
ＮＳ  入金機システム
２    入金機
３    入金機管理サーバ
４    管理センタ
４ａ  管理サーバ
４ｂ  管理情報格納部
５    ＬＡＮ
６    通信回線
２０  主制御部
２１  カード処理部
２３  明細票印字部
２４  入金庫
２５  入金処理部
２６  共有情報格納部
２９  インタフェイス部
【図１】
0005589438.tif 000002
【図２】
0005589438.tif 000003
【図３】
0005589438.tif 000004
【図４】
0005589438.tif 000005